(57)【要約】【課題】撮影者から離れた位置にある暗所の鮮明な静止画像を撮影することが可能な暗所撮影装置を提供する。【解決手段】撮影者から離れた位置にある暗所を撮影するための暗所撮影装置１である。  そして、伸縮可能な一脚部２と、一脚部の上端に首振り可能な状態で取り付けられたフラッシュ部３２を有するカメラ部３と、カメラ部の近傍に取り付けられた照明部４と、一脚部の下端に首振り可能な状態で取り付けられたモニタ部６と、モニタ部近傍の一脚部に設けられた把持部２１と、把持部に隣接して設けられたカメラ部の操作部５と、把持部に隣接して設けられた照明部のバッテリー部４１とを備えている。【選択図】図１
0003204501.tif 000002
【実用新案登録請求の範囲】
【請求項１】
撮影者から離れた位置にある暗所を撮影するための暗所撮影装置であって、
伸縮可能な一脚部と、
前記一脚部の上端に首振り可能な状態で取り付けられたフラッシュ部を有するカメラ部と、
前記カメラ部の近傍に取り付けられた照明部と、
前記一脚部の下端に首振り可能な状態で取り付けられたモニタ部と、
前記モニタ部近傍の前記一脚部に設けられた把持部と、
前記把持部に隣接して設けられた前記カメラ部の操作部と、
前記把持部に隣接して設けられた前記照明部のバッテリー部とを備えたことを特徴とする暗所撮影装置。
【請求項２】
前記カメラ部と前記操作部、前記モニタ部と前記カメラ部及び前記照明部と前記バッテリー部とはケーブルで接続されているとともに、それらのケーブルの少なくとも一部は保護チューブに収容されていることを特徴とする請求項１に記載の暗所撮影装置。
【請求項３】
前記操作部には、前記カメラ部のシャッターボタンとズームを操作するズームボタンとが設けられていることを特徴とする請求項１又は２に記載の暗所撮影装置。
【請求項４】
前記操作部は、リモコン部を介して前記カメラ部の本体部に接続されていることを特徴とする請求項１乃至３のいずれか一項に記載の暗所撮影装置。
【請求項５】
前記モニタ部の外周には、緩衝材部が設けられていることを特徴とする請求項１乃至４のいずれか一項に記載の暗所撮影装置。
【請求項６】
前記モニタ部は、前記一脚部から着脱自在に構成されていることを特徴とする請求項１乃至５のいずれか一項に記載の暗所撮影装置。
【考案の詳細な説明】
【技術分野】
【０００１】
本考案は、撮影者から離れた位置にある暗所を撮影するための暗所撮影装置に関するものである。
【背景技術】
【０００２】
建造物の屋根や樋などの高所、又は天井裏や床下空間などの狭隘部を点検するために、伸縮自在の棒の先端にカメラを取り付け、点検者が直接、目視しにくい箇所の撮影を可能にした点検装置等が知られている（特許文献１−３参照）。
【０００３】
例えば特許文献１の点検装置は、伸縮自在な操作棒の上端にＣＣＤカメラとライトが取り付けられており、暗所においてはライトで照らされた範囲の動画の撮影が可能な構成となっている。
【０００４】
また、特許文献２には、投光部を有する撮像部によって撮影された画像を表示部に表示させるモニタ装置が開示されている。このモニタ装置の撮像部は、動画を撮影するビデオカメラである。
【０００５】
さらに、特許文献３にも、伸縮自在な操作棒の上端にビデオカメラが取り付けられた、変電所内や電柱に備えられた充電部を点検する充電部用点検装置が開示されている。この点検装置では、無線送信によってビデオカメラで撮影された画像を送信させる。
【０００６】
ここで、特許文献３は、変電所内や電柱に備えられた充電部を点検することを目的としているためか、照明については記載がない。これに対して特許文献１，２に開示された点検装置等は、照明を備えた構成となっている。
【先行技術文献】
【特許文献】
【０００７】
【特許文献１】特開２００１−８６４８３号公報
【特許文献２】実用新案登録第３１８４２５２号公報
【特許文献３】実用新案登録第３１６２０５０号公報
【考案の概要】
【考案が解決しようとする課題】
【０００８】
しかしながら特許文献１，２は、主に動画を撮影することを目的としているため、連続して照明が行われるライトを用いた構成となっている。このライトは、バッテリーの持続時間などとの関係から、それ程強い光量を有していないが、動画を撮影することは可能である。
【０００９】
他方、弱い光の中で静止画像を撮影しようとすると、シャッター速度が遅くなって手ぶれが生じやすくなる。特に、棒の先端に取り付けられたカメラでの撮影であれば、明るい場所でも通常より手ぶれが生じやすくなるため、暗所において鮮明な静止画の画像を得ることは難しい。
【００１０】
そこで、本考案は、撮影者から離れた位置にある暗所の鮮明な静止画像を撮影することが可能な暗所撮影装置を提供することを目的としている。
【課題を解決するための手段】
【００１１】
前記目的を達成するために、本考案の暗所撮影装置は、撮影者から離れた位置にある暗所を撮影するための暗所撮影装置であって、伸縮可能な一脚部と、前記一脚部の上端に首振り可能な状態で取り付けられたフラッシュ部を有するカメラ部と、前記カメラ部の近傍に取り付けられた照明部と、前記一脚部の下端に首振り可能な状態で取り付けられたモニタ部と、前記モニタ部近傍の前記一脚部に設けられた把持部と、前記把持部に隣接して設けられた前記カメラ部の操作部と、前記把持部に隣接して設けられた前記照明部のバッテリー部とを備えたことを特徴とする。
【００１２】
ここで、前記カメラ部と前記操作部、前記モニタ部と前記カメラ部及び前記照明部と前記バッテリー部とはケーブルで接続されているとともに、それらのケーブルの少なくとも一部は保護チューブに収容されている構成とすることができる。
【００１３】
また、前記操作部には、前記カメラ部のシャッターボタンとズームを操作するズームボタンとが設けられている構成とすることができる。さらに、前記操作部は、リモコン部を介して前記カメラ部の本体部に接続されている構成とすることができる。
【００１４】
また、前記モニタ部の外周には、緩衝材部が設けられている構成とすることができる。さらに、前記モニタ部は、前記一脚部から着脱自在に構成されていることが好ましい。
【考案の効果】
【００１５】
このように構成された本考案の暗所撮影装置は、伸縮可能な一脚部の上端にフラッシュ部を有するカメラ部が取り付けられるとともに、カメラ部の近傍には照明部が取り付けられる。
【００１６】
このため、天井裏空間や床下空間など、撮影者から離れた位置にある暗所を照明部で照らしながらカメラ部による撮影が行えるうえに、静止画像を撮影する場合にはフラッシュ部を発光させることで、鮮明な静止画像を撮影することができる。
【００１７】
また、カメラ部と操作部、モニタ部とカメラ部及び照明部とバッテリー部とを接続させるケーブルが、保護チューブに収容されていれば、撮影者が目視で確認できないような位置にカメラ部を挿入した場合でも、ケーブルが擦れたり引っ掛かったりして断線することを防ぐことができる。
【００１８】
さらに、操作部にカメラ部を遠隔操作するシャッターボタンとズームボタンとが設けられていれば、ズームボタンで拡大又は縮小させて、静止画像を撮影したい画角に調整した後に撮影を行うことができる。
【００１９】
また、操作部がリモコン部を介して本体部に接続される構成であれば、本体部を改造しなくても接続させることができるようになるので、簡単に暗所撮影装置を組み立てることができる。
【００２０】
さらに、モニタ部の外周に保護用ゴムなどの緩衝材部が設けられていれば、意図せぬ衝突などがあっても、モニタ部が損傷したり破損したりするのを防ぐことができる。また、モニタ部が一脚部から着脱自在に構成されていれば、操作者とは別に観察者がいる場合でも、対応させることができる。
【図面の簡単な説明】
【００２１】
【図１】本考案の実施の形態の暗所撮影装置の全体構成を示した説明図である。
【図２】カメラ部の構成を説明する拡大図である。
【図３】暗所撮影装置の使用方法を示した説明図である。
【図４】暗所撮影装置の別の使用方法を示した説明図である。
【考案を実施するための形態】
【００２２】
以下、本考案の実施の形態について図面を参照して説明する。図１，２は、本実施の形態の暗所撮影装置１の構成を説明する図である。また、図３，４は、暗所撮影装置１の使用方法を説明する図である。
【００２３】
この暗所撮影装置１は、撮影者Ｍから離れた位置にある暗所を撮影するための装置である。例えば、天井裏や床下などの配管や配線の状況や劣化状況などを撮影するために使用することができる。
【００２４】
ここで、「暗所」とは、静止画像を撮影する際に、手ぶれが起きやすくなるほどシャッター速度が落ちる状況（例えばシャッター速度が1/30秒から1/60秒程度より遅くなる状況）を指し、暗闇などに限定されるものではない。また、「撮影者から離れた位置」とは、撮影者が直接カメラのファインダーを覗いて撮影することができない位置を指す。
【００２５】
本実施の形態の暗所撮影装置１は、図１に示すように、一脚部２と、その上端に取り付けられたカメラ部３と、照明部４と、操作部５と、カメラ部３によって撮影された画像を表示させるモニタ部６とによって、主に構成される。
【００２６】
一脚部２は、伸縮可能な操作棒である。一脚部２は、多段式に伸縮可能な構成となっており、把持部２１と、伸縮部２２と、上端に取り付けられた自由雲台２３と、下端に取り付けられた自由雲台２４とによって主に構成される。
【００２７】
把持部２１は、一脚部２の下部に設けられ、撮影者Ｍが把持し易いようにグリップ力の高い素材によって被覆されている。この把持部２１の真下に、モニタ部６を取り付けるための自由雲台２４が設けられる。
【００２８】
自由雲台２４は、モニタ部６を任意の方向及び角度に向けて固定させることができるように、首振り可能な構成となっている。また、自由雲台２４に取り付けられるモニタ部６は、一脚部２から自由に切り離すことができる。
【００２９】
一方、把持部２１より上方には、伸縮部２２が設けられる。伸縮部２２は、直径が異なる筒材を組み合わせた伸び縮みが可能なテレスコピック構造となっており、任意の長さで固定させることができる。例えば、最大長が1.5m程度になる一脚部２を使用することができる。
【００３０】
この伸縮部２２の真上に、カメラ部３を取り付けるための自由雲台２３が設けられる。自由雲台２３は、カメラ部３を任意の方向及び角度に向けて固定させることができるように、首振り可能な構成となっている。
【００３１】
自由雲台２３に取り付けられるカメラ部３は、モニタ画像（映像、リアルタイムの連続画像）及び静止画像を撮影することが可能で、かつズーム機能を有するデジタルカメラである。また、暗所での撮影を可能にするフラッシュ部３２を有している。
【００３２】
この暗所撮影装置１に取り付けられるカメラ部３は、耐衝撃性能の高いデジタルカメラが好ましい。暗所撮影装置１は、狭隘部や目視で確認できない場所の撮影に使用することを想定しているため、周囲に衝突しても故障しないものが好ましい。
【００３３】
また、カメラ部３は、防塵性能や防滴又は防水性能が高いものがより好ましい。要するに、建設現場の狭隘部は、粉塵が舞う場所が多く、水濡れや水没の可能性もあるため、防塵性能及び防水性能が高いカメラ部３であれば、制限を受けることなく使用することができるようになる。
【００３４】
このカメラ部３は、図２に示すように、本体部３１には、レンズ部３１１と、カメラ用電源３１２と、メモリ部３１３と、フラッシュ部３２とが備えられている。撮影やフラッシュ部３２の発光などに必要となる電力は、カメラ用電源３１２から供給される。また、撮影された静止画像などの画像データは、メモリ部３１３に記憶される。
【００３５】
さらに本体部３１には、瞬間光（例えば1/1000秒程度以下の閃光）を発するフラッシュ部３２が内蔵される。このフラッシュ部３２は、本体部３１の設定操作によって、シャッターを切った際に常に発光する強制発光モードに設定することができる。
【００３６】
また、このカメラ部３は、本体部３１とは別に、リモコン部３３を有している。本体部３１で、撮影及び設定などのすべての操作を行うことができるが、一部の操作をリモコン部３３でも行うことができる。
【００３７】
このリモコン部３３には、レンズの焦点距離を変更するズームを操作するズームボタン３３１と、静止画像を撮影するためのシャッターボタン３３２とが設けられている。ズームボタン３３１又はシャッターボタン３３２を押すと、リモコン部３３の先端から赤外線が照射され、その照射範囲３３３内に本体部３１に設けられた信号受光部３４があれば、反応してカメラ部３を動作させることができる。
【００３８】
一方、カメラ部３の本体部３１の近傍には、照明部４が設けられる。本実施の形態では、カメラ部３の本体部３１の前面（レンズ部３１１の横）に、照明部４が取り付けられている。この照明部４は、本体部３１の真横や真上に取り付けられる構成であってもよい。
【００３９】
照明部４は、例えばＬＥＤ（発光ダイオード）によって構成することができる。この照明部４を発光させるための電力は、図１に示すように、把持部２１に隣接して一脚部２に取り付けられたバッテリー部４１から供給される。
【００４０】
照明部４は、ケーブル４２を介して把持部２１の直上に配置されたバッテリー部４１に接続される。バッテリー部４１は、金具などによって伸縮部２２の下方の可動しない箇所に取り付けられる。
【００４１】
一方、バッテリー部４１と把持部２１との間に取り付けられた操作部５は、ケーブル３５を介してリモコン部３３に接続される。把持部２１に隣接して設けられる操作部５には、リモコン部３３のズームボタン３３１とシャッターボタン３３２に対応したズームボタン５１とシャッターボタン５２がそれぞれ設けられる。
【００４２】
要するに、把持部２１を握った状態で隣接した位置にあるズームボタン５１又はシャッターボタン５２を操作すると、リモコン部３３のズームボタン３３１又はシャッターボタン３３２が反応して赤外線を照射し、その信号を信号受光部３４で受けた本体部３１において、ズーム動作又は静止画像の撮影が行われる。
【００４３】
また、カメラ部３は、ケーブル６３を介してモニタ部６に接続される。カメラ部３にＨＤＭＩ端子（High-Definition Multimedia Interface（高精細度マルチメディアインターフェース），ＨＤＭＩ（登録商標））がある場合は、ＨＤＭＩケーブルをケーブル６３として使用することで、高精度の映像（連続画像）をモニタ部６に出力させることができる。
【００４４】
モニタ部６には、モニタ用電源６１が備えられている。また、モニタ部６の外周は、緩衝材部としての保護用ゴム６２によって囲繞されている。モニタ部６には、例えば７インチ程度の大きさのものが使用できる。
【００４５】
さらに、ケーブル４２，３５，６３は、保護チューブ７Ａ，７Ｂ，７Ｃにそれぞれ収容される。保護チューブ７Ａ，７Ｂ，７Ｃには、可撓性の素材が使用できる。例えば、蛇腹状の筒材を使用することができる。
【００４６】
また、本実施の形態では、３本のケーブル４２，３５，６３をそれぞれ別の保護チューブ７Ａ，７Ｂ，７Ｃに収容させたが、これに限定されるものではなく、近接して敷設されるケーブルは、部分的であってもまとめて保護チューブに収容させることができる。
【００４７】
次に、本実施の形態の暗所撮影装置１の使用方法、及び暗所撮影装置１の作用について説明する。
【００４８】
図３に示すように、床Ｆに立っている撮影者Ｍが、手の届かない天井Ｓの天井裏空間Ｓ２の点検のために撮影を行う場合を例に説明する。この天井Ｓは、蓋状のパネルを取り外すことで開口部Ｓ１が形成される。
【００４９】
撮影者Ｍは、まず伸縮部２２を伸ばしてカメラ部３が天井裏空間Ｓ２に挿入できる長さに一脚部２の長さを調整する。また、自由雲台２３を調整して、カメラ部３を撮影させたい方向に向ける。
【００５０】
例えば、天井裏空間Ｓ２の配線や配管などを点検する場合は、カメラ部３の撮影方向を一脚部２の軸方向に略直交させる。一方、天井Ｓより上方の天井スラブの劣化状況を点検する場合は、カメラ部３が仰角となるように自由雲台２３を調整する。
【００５１】
また、一脚部２の下端の自由雲台２４を調整することで、撮影者Ｍにとってモニタ部６が見やすい方向及び角度になるように調整する。例えば、レンズ部３１１を向けた方向と正反対の方向にモニタ部６の画面を向けることで、モニタ部６を見たときのレンズ部３１１が向いている方向が把握しやすくなる。
【００５２】
そして、照明部４とモニタ部６のスイッチを入れるとともに、カメラ部３を起動させる。また、本体部３１のフラッシュ部３２の発光に関する設定を、予め周囲の明るさに関わらず静止画像の撮影の度に発光するモード（強制発光モード）にしておく。
【００５３】
カメラ部３を起動させると、モニタ部６には、レンズ部３１１を通して撮影されたリアルタイムの映像（連続画像）が表示される。そこで、モニタ部６に映像が表示されていることを確認した後に、把持部２１を握って一脚部２を直立させる。
【００５４】
続いて、一脚部２の上端のカメラ部３を開口部Ｓ１に挿入する。天井裏空間Ｓ２は暗所であるが、本体部３１に取り付けられた照明部４によって照らされた照明範囲４３は、可視状態で撮影されるので、その映像をモニタ部６で確認することができる。
【００５５】
そこで、撮影者Ｍは、モニタ部６を見ながら操作部５のズームボタン５１を操作し、静止画像を撮影したい画角に調整する。通常は、まず天井裏空間Ｓ２を広く観察できるようにズームボタン５１で倍率を小さく（ズームを縮小）してモニタ部６の映像を確認する。そして、一脚部２を回すことで観察したい方向にレンズ部３１１を向ける。
【００５６】
さらに、ズームボタン５１で倍率を大きく（ズームを拡大）して、モニタ部６に撮影したい箇所が映し出されていることを確認する。このようにズームボタン５１で拡大又は縮小することによって画角を調整した後に、撮影者Ｍは操作部５のシャッターボタン５２を押す。
【００５７】
このシャッターボタン５２を押す操作は、リモコン部３３のシャッターボタン３３２を押した操作となり、信号受光部３４で操作信号を受信した本体部３１によって、静止画像の撮影が行われる。
【００５８】
静止画像の撮影は、本体部３１が強制発光モードに設定されているため、フラッシュ部３２が発光した瞬間光の中で行われる。このようにして撮影された静止画の画像は、手ぶれなどが無く、鮮明な画像として本体部３１のメモリ部３１３に記憶される。ここまでは撮影者Ｍ一人で点検及び撮影を行う使用方法について説明した。
【００５９】
図４では、撮影者となる操作者Ｍ１と観察者Ｍ２との二人で点検及び撮影を行う使用方法について説明する。この場合は、自由雲台２４からモニタ部６を取り外して、観察者Ｍ２がモニタ部６を持つことになる。
【００６０】
ここで、必要に応じてケーブル６３に延長ケーブルを繋ぐことで、モニタ部６を持つ観察者Ｍ２と操作者Ｍ１との距離を、作業しやすい距離にすることができる。観察者Ｍ２は、現場監督や施設管理者が担当することが想定できる。
【００６１】
また、操作者Ｍ１が脚立に立ち、観察者Ｍ２が床Ｆから指示をするという役割分担も想定できる。さらに、観察者Ｍ２が複数人いる場合にも、モニタ部６が一脚部２から取り外されていれば容易に覗き込むことができる。
【００６２】
操作者Ｍ１は、一脚部２の把持部２１を握ってカメラ部３を開口部Ｓ１から天井裏空間Ｓ２に挿入する。操作者Ｍ１は、モニタ部６を見ている観察者Ｍ２からの指示を受けて、レンズ部３１１を指示された方向に向ける。
【００６３】
また、操作部５のズームボタン５１を操作して、拡大又は縮小の操作を行う。そして、観察者Ｍ２からの指示により、操作者Ｍ１は操作部５のシャッターボタン５２を押して静止画像の撮影を行う。
【００６４】
以上のように構成された本実施の形態の暗所撮影装置１は、伸縮可能な一脚部２の上端にフラッシュ部３２を有するカメラ部３が取り付けられるとともに、カメラ部３の近傍には照明部４が取り付けられる。
【００６５】
このため、天井裏空間Ｓ２や床下空間など、撮影者Ｍから離れた位置にある暗所を照明部４で照らしながらカメラ部３による撮影が行えるうえに、静止画像を撮影する場合にはフラッシュ部３２を発光させることで、鮮明な静止画像を撮影することができる。
【００６６】
照明で照らされた範囲をビデオカメラやＣＣＤカメラで撮影した場合でも、１フレームを静止画像として切り出すことはできるが、静止画像の撮影を主体としたカメラ部３に比べて画素数が少なく、また毎秒30フレームから60フレーム程度以下で撮影される中の１フレームのため画像がぶれやすく、報告書などに利用できる画質にはならない。
【００６７】
また、照明で照らされた範囲は、静止画像の撮影が可能となる程度の光量は確保できるが、その光量ではシャッター速度が遅くなるため、手ぶれが起きやすくなる。特に、長尺状の一脚部２の先端に取り付けられて把持部２１で把持されたカメラ部３による高倍率の撮影は、手ぶれを誘発しやすい状況となる。
【００６８】
これに対して本実施の形態の暗所撮影装置１であれば、手ぶれが起きそうな露出になる状況下でも、フラッシュ部３２が発光して瞬間光で撮影されるため、鮮明な静止画像を撮影することができる。
【００６９】
また、照明部４とバッテリー部４１、カメラ部３と操作部５及びモニタ部６とカメラ部３とを接続させるケーブル４２，３５，６３が、保護チューブ７Ａ−７Ｃに収容されていれば、撮影者Ｍが目視で確認できないような位置にカメラ部３を挿入した場合でも、ケーブル４２，３５，６３が擦れたり引っ掛かったりして断線することを防ぐことができる。
【００７０】
さらに、操作部５にカメラ部３を遠隔操作するシャッターボタン５２とズームボタン５１とが設けられていれば、広い視野で見渡してから高倍率で詳細の観察をするなど、ズームボタン５１で拡大又は縮小させて、静止画像を撮影したい画角に調整した後に撮影を行うことができる。
【００７１】
また、操作部５がリモコン部３３を介して本体部３１に接続される構成であれば、本体部３１を改造しなくても接続させることができるようになるので、簡単に暗所撮影装置１を組み立てることができる。
【００７２】
さらに、モニタ部６の外周が保護用ゴム６２によって覆われていれば、準備中や撮影前後に意図せぬ衝突や落下などがあっても、モニタ部６が損傷したり破損したりするのを防ぐことができる。
【００７３】
また、モニタ部６が一脚部２から着脱自在に構成されていれば、操作者Ｍ１とは別に観察者Ｍ２がいる場合でも、対応させることができる。さらに、観察者Ｍ２の指示に従うことで、操作者Ｍ１はより撮影に集中して手ぶれが起きないように撮影することができる。
【００７４】
また、モニタ部６が取り外されることで軽量になるため、操作者Ｍ１の負担を減らすことができる。さらに、比較的重量が大きくなる照明部４のバッテリー部４１が把持部２１に隣接して設けられているので、安定して取りまわすことができる。
【００７５】
そして、モニタ部６とカメラ部３とがケーブル６３によって有線接続されていれば、無線送信時のような混信が起きることがなく、安定して映像をモニタ部６に出力させることができる。その他のケーブル３５による有線接続についても、無線接続に比べて安定した信号等の伝達が行われる。
【００７６】
以上、図面を参照して、本考案の実施の形態を詳述してきたが、具体的な構成は、この実施の形態に限らず、本考案の要旨を逸脱しない程度の設計的変更は、本考案に含まれる。
【００７７】
例えば、前記実施の形態では、上向きに使用する場合について説明したが、これに限定されるものではなく、下向きに使用することもできる。特に、下向きの場合は、地下空洞のように一脚部が長くなる場合でも、適用することができる。
【００７８】
また、前記実施の形態では、自由雲台２４を介してモニタ部６が接続される切り離し可能な構成について説明したが、これに限定されるものではなく、モニタ部６が首振り可能な状態で一脚部の下端に固定される構成であってもよい。
【００７９】
さらに、前記実施の形態では、リモコン部３３を介して本体部３１を操作部５に接続させる構成としたが、これに限定されるものではなく、本体部３１と操作部５とを直接、接続させることもできる。
【００８０】
また、前記実施の形態では、本体部３１のメモリ部３１３に静止画像を記憶させる構成について説明したが、これに限定されるものではなく、モニタ部６のメモリ部に静止画像を記憶させる構成とすることもできる。
【符号の説明】
【００８１】
１              暗所撮影装置
２              一脚部
２１            把持部
２２            伸縮部（伸縮可能）
２３            自由雲台（首振り可能）
２４            自由雲台（首振り可能）
３              カメラ部
３１            本体部
３２            フラッシュ部
３３            リモコン部
３５            ケーブル
４              照明部
４１            バッテリー部
４２            ケーブル
５              操作部
５１            ズームボタン
５２            シャッターボタン
６              モニタ部
６２            保護用ゴム（緩衝材部）
６３            ケーブル
７Ａ，７Ｂ，７Ｃ  保護チューブ
Ｍ              撮影者
Ｍ１            操作者（撮影者）
Ｓ２            天井裏空間（暗所）
【図１】
0003204501.tif 000003
【図２】
0003204501.tif 000004
【図３】
0003204501.tif 000005
【図４】
0003204501.tif 000006